(57)【要約】【課題】水上側に位置する縦葺き材の浮き上がりを抑え、隣接する縦葺き材間への水の浸入を抑えることができ、しかも施工が簡単な屋根外装構造及び接続部材を提供する。【解決手段】屋根外装構造は、第一縦葺き材１と、第一縦葺き材１の水上側に位置する第二縦葺き材２と、第一縦葺き材１と第二縦葺き材２の間に介在する接続部材３とを具備する。接続部材３は、弾性材料で形成された本体部３１と、本体部３１の上面に接合された表層部３２とを備える。本体部３１は、第一縦葺き材１の水上側の端縁部１０が嵌り込む第一溝部３１５と、第二縦葺き材２の水下側の端縁部２０が嵌り込む第二溝部３１６とを備える。【選択図】図２
2017025556.tif 000002
【特許請求の範囲】
【請求項１】
第一縦葺き材と、
前記第一縦葺き材の水上側に位置する第二縦葺き材と、
前記第一縦葺き材と前記第二縦葺き材の間に介在する接続部材とを具備し、
前記接続部材は、
弾性材料で形成された本体部と、
前記本体部の上面に接合された表層部とを備え、
前記本体部は、
前記第一縦葺き材の水上側の端縁部が嵌り込む第一溝部と、
前記第二縦葺き材の水下側の端縁部が嵌り込む第二溝部とを備える、
屋根外装構造。
【請求項２】
前記第一縦葺き材と前記第二縦葺き材はそれぞれ、金属製の屋根材であり、
前記表層部は、金属製の板材である、
請求項１に記載の屋根外装構造。
【請求項３】
前記第一縦葺き材と前記第二縦葺き材はそれぞれ、上方に突出するように曲がった凸部と、下方に凹むように曲がった凹部とが、一方向に沿って交互に位置する凹凸形状を有し、
前記第一溝部は、前記第一縦葺き材の前記凹凸形状に沿って形成された溝であり、
前記第二溝部は、前記第二縦葺き材の前記凹凸形状に沿って形成された溝である、
請求項２に記載の屋根外装構造。
【請求項４】
第一縦葺き材と、前記第一縦葺き材の水上側に位置する第二縦葺き材とを、接続するために用いられる接続部材であって、
弾性材料で形成された本体部と、
前記本体部に接合された表層部とを備え、
前記本体部は、
前記第一縦葺き材の水上側の端縁部が嵌り込むように形成された第一溝部と、
前記第二縦葺き材の水下側の端縁部が嵌り込むように形成された第二溝部とを備える、
接続部材。
【請求項５】
前記第一溝部と前記第二溝部はそれぞれ、
一方向に沿って凸型溝部と凹型溝部が交互に位置する形状の溝である、
請求項４に記載の接続部材。
【発明の詳細な説明】
【技術分野】
【０００１】
本発明は、水上側の縦葺き材と水下側の縦葺き材を接続させて屋根外装構造を形成する技術に関する。
【背景技術】
【０００２】
特許文献１には、従来の建築外装構造が記載されている。
【０００３】
この建築外装構造では、縦葺き外装材の水上側の端縁部の上方に、他の縦葺き外装材の水下側の端縁部を重ねている。
【先行技術文献】
【特許文献】
【０００４】
【特許文献１】特開平９−１２５６２１号公報
【発明の概要】
【発明が解決しようとする課題】
【０００５】
特許文献１に記載された建築外装構造では、上記したように、縦葺き外装材の水上側の端縁部に、他の縦葺き外装材の水下側の端縁部を上から重ねることで、隣接する縦葺き外装材間に水が浸入することを抑えている。
【０００６】
そのため、風等の影響によって、水上側に位置する他の縦葺き外装材が浮き上がるおそれがあるという問題や、さらに水の浸入を抑えるにはシーリング等の施工が必要となり、施工に手間がかかるという問題があった。
【０００７】
本発明は、水上側に位置する縦葺き材の浮き上がりを抑えることができ、隣接する縦葺き材間への水の浸入を抑えることができ、しかも簡単に施工することのできる屋根外装構造及びこれに用いられる接続部材を提供することを、目的とする。
【課題を解決するための手段】
【０００８】
本発明に係る形態の屋根外装構造は、第一縦葺き材と、前記第一縦葺き材の水上側に位置する第二縦葺き材と、前記第一縦葺き材と前記第二縦葺き材の間に介在する接続部材とを具備する。
【０００９】
前記接続部材は、弾性材料で形成された本体部と、前記本体部の上面に接合された表層部とを備える。
【００１０】
前記本体部は、前記第一縦葺き材の水上側の端縁部が嵌り込む第一溝部と、前記第二縦葺き材の水下側の端縁部が嵌り込む第二溝部とを備える。
【００１１】
本発明に係る形態の接続部材は、第一縦葺き材と、前記第一縦葺き材の水上側に位置する第二縦葺き材とを、接続するために用いられる接続部材であって、弾性材料で形成された本体部と、前記本体部に接合された表層部とを備える。
【００１２】
前記本体部は、前記第一縦葺き材の水上側の端縁部が嵌り込むように形成された第一溝部と、前記第二縦葺き材の水下側の端縁部が嵌り込むように形成された第二溝部とを備える。
【発明の効果】
【００１３】
本発明の屋根外装構造は、接続部材によって、該接続部材の水上側に接続される第二縦葺き材の浮き上がりを抑えることができ、第一縦葺き材と第二縦葺き材の間への水の浸入を抑えることができ、しかも簡単に施工することができるという効果を奏する。
【００１４】
本発明の接続部材は、該接続部材の水上側に接続される第二縦葺き材の浮き上がりを抑えることができ、第一縦葺き材と第二縦葺き材の間に水が浸入することを抑えることができ、しかも簡単に施工することができるという効果を奏する。
【図面の簡単な説明】
【００１５】
【図１】本発明の一実施形態の屋根外装構造を示す斜視図である。
【図２】図１のＡ−Ａ線断面図である。
【図３】本発明の一実施形態の接続部材を示す斜視図である。
【図４】図３のＢ部拡大図である。
【図５】本発明の一実施形態の接続部材を示す分解斜視図である。
【図６】本発明の一実施形態の接続部材を他の方向から視た斜視図である。
【発明を実施するための形態】
【００１６】
図１には、一実施形態の屋根外装構造５を示している。
【００１７】
屋根外装構造５は、傾斜屋根上に配置された第一縦葺き材１と、第一縦葺き材１の水上側に位置するように傾斜屋根上に配置された第二縦葺き材２とを、接続部材３を介して接続させた構造である。第一縦葺き材１と第二縦葺き材２は、ともに金属製の凹凸屋根材である。
【００１８】
本実施形態の説明において用いる軒方向Ｄ１、軒棟方向Ｄ２等の各方向は、第一縦葺き材１と第二縦葺き材２が傾斜屋根上に設置された状態を基準とする。
【００１９】
図１等に示すように、軒方向Ｄ１は、傾斜屋根上に形成された屋根外装構造５を軒側から視たときの左右方向である。軒棟方向Ｄ２は、屋根外装構造５の傾斜に沿った方向である。軒棟方向Ｄ２の軒側が水下側であり、軒棟方向Ｄ２の棟側が水上側である。軒方向Ｄ１と軒棟方向Ｄ２は、互いに直交する。
【００２０】
まず、第一縦葺き材１について説明する。
【００２１】
第一縦葺き材１は、金属板を曲げ加工することによって、凸部１１と凹部１２が交互に位置するように形成される。
【００２２】
凸部１１は、凹凸状に曲げ加工された金属板のうち、上方に突出するように折れ曲がった部分である。換言すると、凸部１１は、上方に向けて突出しかつ下方に向けて開口した部分であり、軒棟方向Ｄ２に沿って一直線状に形成される。
【００２３】
凹部１２は、凹凸状に曲げ加工された金属板のうち、下方に突出するように折れ曲がった部分である。換言すると、凹部１２は、下方に向けて突出しかつ上方に向けて開口した部分であり、軒棟方向Ｄ２に沿って一直線状に形成される。
【００２４】
第一縦葺き材１は、凸部１１と凹部１２を、それぞれ複数有する。凸部１１と凹部１２は、互いに平行である。第一縦葺き材１の形状は、凸部１１と凹部１２が、軒方向Ｄ１に沿って交互に位置する凹凸形状である。
【００２５】
次に、第二縦葺き材２について説明する。
【００２６】
第二縦葺き材２は、金属板を曲げ加工することによって、凸部２１と凹部２２が交互に位置するように形成される。
【００２７】
第二縦葺き材２の形状は、第一縦葺き材１の形状と同様である。つまり、第二縦葺き材２が有する凸部２１と凹部２２の形状は、第一縦葺き材１が有する凸部１１と凹部１２の形状と同様である。凸部２１と凹部２２の配置は、第一縦葺き材１が有する凸部１１と凹部１２の配置と一致する。
【００２８】
次に、接続部材３について説明する。
【００２９】
図３〜図６に示すように、接続部材３は、ゴム等の弾性材料を用いて凹凸形状に形成された本体部３１と、本体部３１に沿う凹凸形状に形成された表層部３２とを備える。
【００３０】
本体部３１は、以下の構成を備える。
【００３１】
本体部３１は、第一縦葺き材１と第二縦葺き材２を軒棟方向Ｄ２に沿って連結させる連結構造の機能を有する部分であり、かつ、第一縦葺き材１と第二縦葺き材２の間を水密に封止する防水シールの機能を有する部分である。
【００３２】
本体部３１は、凸状弾性部３１１と凹状弾性部３１２とが、軒方向Ｄ１に沿って交互に位置するように形成される（図５等参照）。凸状弾性部３１１と凹状弾性部３１２の配置は、第一縦葺き材１が有する凸部１１と凹部１２の配置と一致し、また、第二縦葺き材２が有する凸部２１と凹部２２の配置と一致する。
【００３３】
凸状弾性部３１１の形状は、上方に向けて突出するように、折れ曲がった形状である。凹状弾性部３１２の形状は、下方に向けて突出するように、凸状弾性部３１１とは反対側に折れ曲がった形状である。
【００３４】
本体部３１は、水下側を向く第一面３１３と、水上側を向く第二面３１４とを有する（図２等参照）。第一面３１３は、本体部３１の外面のうち第一縦葺き材１側を向く面である。第二面３１４は、本体部３１の外面のうち第二縦葺き材２側を向く面である。第一面３１３と第二面３１４は、互いに反対側を向いて位置する。
【００３５】
本体部３１は、第一面３１３から水上側に向けて凹んだ第一溝部３１５と、第二面３１４から水下側に向けて凹んだ第二溝部３１６とを有する。
【００３６】
第一溝部３１５の形状は、第一縦葺き材１の水上側の端縁部１０（図１、図２参照）が密着して嵌り込むように、第一縦葺き材１の凹凸形状に沿った形状に設けている。第一溝部３１５は、複数の凸型溝部３１５１と複数の凹型溝部３１５２を含み、凸型溝部３１５１と凹型溝部３１５２が軒方向Ｄ１に沿って交互に位置する。
【００３７】
凸型溝部３１５１は、凸型に（換言すれば上に凸となるように）折れ曲がったような形状の開口を有する溝である。凸型溝部３１５１は、第一縦葺き材１の端縁部１０のうち、凸部１１の水上側の端縁部に相当する部分が、密着して嵌り込む部分である。
【００３８】
凹型溝部３１５２は、凹型に（換言すれば下に凸となるように）折れ曲がったような形状の開口を有する溝である。凹型溝部３１５２は、第一縦葺き材１の端縁部１０のうち、凹部１２の水上側の端縁部に相当する部分が、密着して嵌り込む部分である。
【００３９】
第二溝部３１６の形状は、第二縦葺き材２の水下側の端縁部２０（図１、図２等参照）が密着して嵌り込むように、第二縦葺き材２の凹凸形状に沿った形状に設けている。第二溝部３１６は、複数の凸型溝部３１６１と複数の凹型溝部３１６２を含み、凸型溝部３１６１と凹型溝部３１６２が軒方向Ｄ１に沿って交互に位置する（図６参照）。
【００４０】
凸型溝部３１６１は、凸型に折れ曲がったような形状の開口を有する溝である。凸型溝部３１６１は、第二縦葺き材２の端縁部２０のうち、凸部２１の水下側の端縁部に相当する部分が、密着して嵌り込む部分である。
【００４１】
凹型溝部３１６２は、凹型に折れ曲がったような形状の開口を有する溝である。凹型溝部３１６２は、第二縦葺き材２の端縁部２０のうち、凹部２２の水下側の端縁部に相当する部分が、密着して嵌り込む部分である。
【００４２】
表層部３２は、以下の構成を備える。
【００４３】
表層部３２は、金属板を曲げ加工することによって、凸部３２１と凹部３２２が交互に位置するように形成される（図５等参照）。凸部３２１と凹部３２２の配置は、本体部３１が有する凸状弾性部３１１と凹状弾性部３１２の配置と一致する。
【００４４】
凹凸形状を有する表層部３２は、同じく凹凸形状を有する本体部３１の上面に、接着等によって接合される。ゴム等で形成される本体部３１は、その上面に表層部３２が固定されることで、紫外線等の外部環境からの影響を受けにくくなり、また、第一縦葺き材１と第二縦葺き材２に接続された状態での外観上の統一感が高められる。
【００４５】
表層部３２を形成する金属材料は、第一縦葺き材１や第二縦葺き材２を形成する金属材料と同一であってもよいし、互いに相違してもよい。表層部３２、第一縦葺き材１及び第二縦葺き材２を形成する材料が互いに同一であれば、外観上の統一感はさらに高められる。
【００４６】
上記した接続部材３を介して、第一縦葺き材１と第二縦葺き材２が軒棟方向Ｄ２に接続されることで、傾斜屋根上の屋根外装構造５が形成される。
【００４７】
このとき、凹凸形状を有する第一縦葺き材１の水上側の端縁部１０が、接続部材３の本体部３１に設けた凹凸形状の第一溝部３１５に圧入され、第一縦葺き材１と接続部材３が水密に接続される。
【００４８】
凹凸形状を有する第二縦葺き材２の水下側の端縁部２０は、接続部材３の本体部３１に設けた凹凸形状の第二溝部３１６に圧入され、第二縦葺き材２と接続部材３が水密に接続される。
【００４９】
本実施形態の屋根外装構造５によれば、第一縦葺き材１の端縁部１０と第二縦葺き材２の端縁部２０が重ねて配置されない構造で、第一縦葺き材１と第二縦葺き材２が水密に接続される。
【００５０】
より詳細には、本実施形態の屋根外装構造５によれば、第一縦葺き材１が備える複数の凸部１１と、接続部材３の本体部３１が備える複数の凸状弾性部３１１とが、一対一の関係で水密に接続される。また、本体部３１が備える複数の凸状弾性部３１１と、第二縦葺き材２が備える複数の凸部２１とが、一対一の関係で水密に接続される。これにより、各凸状弾性部３１１を介して、凸状弾性部３１１の水下側に位置する第一縦葺き材１の凸部１１と、凸状弾性部３１１の水上側に位置する第二縦葺き材２の凸部２１とが、水密にかつ一直線状に接続される。
【００５１】
同様に、本実施形態の屋根外装構造５によれば、第一縦葺き材１が備える複数の凹部１２と、接続部材３の本体部３１が備える複数の凹状弾性部３１２とが、一対一の関係で水密に接続される。また、本体部３１が備える複数の凹状弾性部３１２と、第二縦葺き材２が備える複数の凹部２２とが、一対一の関係で水密に接続される。これにより、各凹状弾性部３１２を介して、凹状弾性部３１２の水下側に位置する第一縦葺き材１の凹部１２と、凹状弾性部３１２の水下側に位置する第二縦葺き材２の凹部２２とが、水密にかつ一直線状に接続される。
【００５２】
以上、添付図面に基づいて、本実施形態の屋根外装構造５やこれに用いられる接続部材３について説明した。
【００５３】
上述したように、本実施形態の屋根外装構造５は、第一縦葺き材１と、第一縦葺き材１の水上側に位置する第二縦葺き材２と、第一縦葺き材１と第二縦葺き材２の間に介在する接続部材３とを具備する。
【００５４】
接続部材３は、弾性材料で形成された本体部３１と、本体部３１の上面に接合された表層部３２とを備える。本体部３１は、第一縦葺き材１の水上側の端縁部１０が嵌り込む第一溝部３１５と、第二縦葺き材２の水下側の端縁部２０が嵌り込む第二溝部３１６とを備える。
【００５５】
本実施形態の屋根外装構造５では、第二縦葺き材２の水下側の端縁部２０は、接続部材３が備える第二溝部３１６に嵌り込んだ状態で保持される。そのため、水上側に位置する第二縦葺き材２が風等の影響で浮き上がることが抑えられる。
【００５６】
また、第一縦葺き材１の水上側の端縁部１０を接続部材３の第一溝部３１５に挿入し、第二縦葺き材２の水下側の端縁部２０を接続部材３の第二溝部３１６に挿入するという簡単な施工で、第一縦葺き材１と第二縦葺き材２を高い水密性で接続させることができる。これにより、第一縦葺き材１と第二縦葺き材２の間に水が浸入することが抑えられる。
【００５７】
また、第一縦葺き材１と第二縦葺き材２の互いの一部を上下に重ねる構造ではないので、第一縦葺き材１や第二縦葺き材２の軒棟方向Ｄ２（流れ方向）の寸法を抑えることができ、ひいては、屋根全体の軽量化を図ることが可能である。
【００５８】
本実施形態の屋根外装構造５において、第一縦葺き材１と第二縦葺き材２はそれぞれ、金属製の屋根材である。表層部３２は、金属製の板材である。
【００５９】
したがって、本実施形態の屋根外装構造５によれば、弾性材料で形成された本体部３１を、金属製の表層部３２で保護することができる。加えて、接続部材３の表面に位置する表層部３２と、これに隣接する第一縦葺き材１と第二縦葺き材２がいずれも金属製であるため、全体の外観上の統一感が高められる。
【００６０】
本実施形態の屋根外装構造５において、第一縦葺き材１と第二縦葺き材２はそれぞれ、上方に突出するように曲がった凸部１１，２１と、下方に凹むように曲がった凹部１２，２２とが、一方向（軒方向Ｄ１）に沿って交互に位置する凹凸形状を有する。
【００６１】
第一溝部３１５は、第一縦葺き材１の凹凸形状に沿って形成された溝である。第二溝部３１６は、第二縦葺き材２の凹凸形状に沿って形成された溝である。
【００６２】
したがって、本実施形態の屋根外装構造５によれば、第一縦葺き材１と第二縦葺き材２が凹凸形状を有することから、強度が高められることに加えて、第一縦葺き材１と第二縦葺き材２の下方の通気性が高められる。第一縦葺き材１や第二縦葺き材２の上方に太陽光発電パネル等の機能パネルを設置することも容易である。そして、このような凹凸形状を有する第一縦葺き材１と第二縦葺き材２を、接続部材３を用いた簡単な施工で、水密に接続させることができる。
【００６３】
また、本実施形態の屋根外装構造５によれば、第一縦葺き材１と第二縦葺き材２の凹凸形状を互いに同一の寸法形状で設け、かつ、第一縦葺き材１と第二縦葺き材２をともに、水下側の端縁から水上側の端縁に至るまで同一の断面で形成することができる。
【００６４】
たとえば、従来の建築外装構造のように、縦葺き外装材の水上側の端縁部の上方に、他の縦葺き外装材の水下側の端縁部を重ねて配置するには、縦葺き外装材の水上側の端縁部の寸法形状を、他の縦葺き外装材の水下側の端縁部の寸法形状と相違させる必要がある。これに対して、本実施形態の屋根外装構造５によれば、水下側の端縁から水上側の端縁に至るまで断面が同一の縦葺き材を複数製造し、そのうち一つの縦葺き材を第一縦葺き材１とし、他の縦葺き材を第二縦葺き材２として用いることができ、製造が容易である。
【００６５】
本実施形態の接続部材３は、第一縦葺き材１と、第一縦葺き材１の水上側に位置する第二縦葺き材２とを、接続するために用いられる。接続部材３は、弾性材料で形成された本体部３１と、本体部３１に接合された表層部３２とを備える。
【００６６】
本体部３１は、第一縦葺き材１の水上側の端縁部１０が嵌り込むように形成された第一溝部３１５と、第二縦葺き材２の水下側の端縁部２０が嵌り込むように形成された第二溝部３１６とを備える。
【００６７】
したがって、本実施形態の接続部材３を用いれば、第二縦葺き材２の水下側の端縁部２０を、第二溝部３１６に嵌り込んだ状態で保持することができる。そのため、第二縦葺き材２が風等の影響で浮き上がることが抑えられる。
【００６８】
また、第一縦葺き材１の水上側の端縁部１０を接続部材３の第一溝部３１５に挿入し、第二縦葺き材２の水下側の端縁部２０を接続部材３の第二溝部３１６に挿入するという簡単な施工で、第一縦葺き材１と第二縦葺き材２を高い水密性で接続させることができる。本実施形態の接続部材３を用いることで、第一縦葺き材１と第二縦葺き材２の間に水が浸入することが抑えられる。
【００６９】
また、第一縦葺き材１と第二縦葺き材２を、互いの一部を上下に重ねることなく接続させることができるので、第一縦葺き材１や第二縦葺き材２の軒棟方向Ｄ２（流れ方向）の寸法を抑えることができ、ひいては、屋根全体の軽量化を図ることが可能となる。
【００７０】
本実施形態の接続部材３において、第一溝部３１５と第二溝部３１６はそれぞれ、一方向（軒方向Ｄ１）に沿って凸型溝部３１５１，３１６１と凹型溝部３１５２，３１６２が交互に位置する形状の溝である。
【００７１】
したがって、本実施形態の接続部材３においては、第一縦葺き材１及び第二縦葺き材２として、凸部１１，２１と凹部１２，２２が交互に配置された凹凸屋根材を用いることができる。凹凸屋根材は強度が高く、下方の通気性が高く、さらに、太陽光発電パネル等の機能パネルを設置することも容易である。そして、凹凸屋根材である第一縦葺き材１と第二縦葺き材２を、接続部材３を用いた簡単な施工で、水密に接続させることが可能となる。
【００７２】
以上、屋根外装構造やこれに用いられる接続部材について、実施形態に基づいて説明したが、屋根外装構造や接続部材は前記した実施形態に限定されず、適宜の設計変更を行うことが可能である。
【符号の説明】
【００７３】
１        第一縦葺き材
１０      水上側の端縁部
１１      凸部
１２      凹部
２        第二縦葺き材
２０      水下側の端縁部
２１      凸部
２２      凹部
３        接続部材
３１      本体部
３１５    第一溝部
３１５１  凸型溝部
３１５２  凹型溝部
３１６    第二溝部
３１６１  凸型溝部
３１６２  凹型溝部
３２      表層部
５        屋根外装構造
Ｄ１      軒方向（一方向）
【図１】
2017025556.tif 000003
【図２】
2017025556.tif 000004
【図３】
2017025556.tif 000005
【図４】
2017025556.tif 000006
【図５】
2017025556.tif 000007
【図６】
2017025556.tif 000008